(57)【要約】【課題】            鑑賞植物の幅広い配置アレンジが可能なプランターを提供する。また、当該プランターを利用した見栄え良く配置アレンジされた鑑賞植物セットを提供すること。【解決手段】        上面(12)に複数の挿通孔(100)が互いに離隔して設けられる容器(10)と、複数の挿通孔(100)に各々挿通されて容器(10)の底面(11)上に載置され、且つ上端部(20a)が容器(10)の上面(12)から突出し、容器(10)の上面(12)から上端部(20a)が突出する高さが異なる複数のシリンダ(20)と、を具備するプランター(1)。【選択図】          図１
2019076588.tif 000002
【特許請求の範囲】
【請求項１】
上面に複数の挿通孔が互いに離隔して設けられる容器と、
複数の前記挿通孔に各々挿通されて前記容器の底面上に載置され、且つ上端部が前記容器の上面から突出し、前記容器の上面から前記上端部が突出する高さが異なる複数のシリンダと、
を具備するプランター。
【請求項２】
前記容器には、組み立て用の折線が形成されている、請求項１に記載のプランター。
【請求項３】
前記シリンダにおける前記容器の上面から前記上端部が突出する高さは、調整可能である、請求項１又は２に記載のプランター。
【請求項４】
前記シリンダは、少なくとも１つの中空柱状部材から構成され、複数の前記中空柱状部材を高さ方向に連結することで、前記容器の上面から前記シリンダの前記上端部が突出する高さが設定される、請求項１乃至３のいずれか一項に記載のプランター。
【請求項５】
前記容器の断面は、多角形状である、請求項１乃至４のいずれか一項に記載のプランター。
【請求項６】
前記容器の断面は、正八角形状である、請求項１乃至５のいずれか一項に記載のプランター。
【請求項７】
前記容器の外側には、前記容器の底面及び側面を支持する折畳み可能な脚部がさらに設けられる、請求項１乃至６のいずれか一項に記載のプランター。
【請求項８】
上面に複数の挿通孔が互いに離隔して設けられる容器と、
複数の前記挿通孔に各々挿通されて前記容器の底面上に載置され、且つ上端部が前記容器の上面から突出し、前記容器の上面から前記上端部が突出する高さが異なる複数のシリンダと、
前記シリンダに収容される鑑賞植物と、
を具備する鑑賞植物セット。
【請求項９】
前記容器の前方側の前記挿通孔に挿通される前記シリンダの前記上端部が前記容器の上面から突出する高さは、前記容器の後方側の前記挿通孔に挿通される前記シリンダの前記上端部が前記容器の上面から突出する高さよりも低く設定される、請求項８に記載の鑑賞植物セット。
【発明の詳細な説明】
【技術分野】
【０００１】
本発明は、プランター、及び当該プランターに鑑賞植物が収容される鑑賞植物セットに関する。
【背景技術】
【０００２】
昨今、未使用時の保管等に際して好適な、プランターが数多く提案されている。更に、留め具等を必要とせず、組み立ての容易性も考慮された組み立て式プランターも提案されている。
【０００３】
例えば、特許文献１（特開２００４-３２１０６９号公報）や特許文献２（特開２００５−９５０９４号公報）には、一枚の硬質繊維ボードに、所定の折線を設けて組み立てられる、生分解性の組み立て式プランターが開示されている。かかる組み立て式プランターは、接着剤や留め具を必要としていないため、容易に組み立てることができ、保管や搬送時に際しても最小限の空間しか必要としないことを特徴としている。
【先行技術文献】
【特許文献】
【０００４】
【特許文献１】特開２００４−３２１０６９号公報
【特許文献２】特開２００５−９５０９４号公報
【発明の概要】
【発明が解決しようとする課題】
【０００５】
一般に、鑑賞用又は栽培用の植物が収容されるプランターは、当該プランター内部を間仕切りすることなく、１つの鉢として使用される。特許文献１及び特許文献２における組み立て式プランターも、内部を間仕切りすることを想定していない。しかしながら、プランターを１つの鉢として使用する場合、収容される植物の種類や使用者の嗜好等に基づく鑑賞用植物の見栄え上の配置アレンジが限定的となってしまう。
【０００６】
本発明は、上記の課題に鑑みてなされたもので、鑑賞植物の幅広い配置アレンジが可能なプランターを提供する。また、当該プランターを利用した見栄え良く配置アレンジされた鑑賞植物セットを提供する。
【課題を解決するための手段】
【０００７】
本発明の一態様に係るプランターは、上面に複数の挿通孔が互いに離隔して設けられる容器と、複数の前記挿通孔に各々挿通されて前記容器の底面上に載置され、且つ上端部が前記容器の上面から突出し、前記容器の上面から前記上端部が突出する高さが異なる複数のシリンダと、を具備するものである。
【０００８】
この構成によれば、前記容器には、複数の前記挿通孔が互いに離隔して設けられているため、複数の鉢を複数の前記挿通孔のいずれかに選択的に配置させることで、幅広い配置アレンジを提供することができる。さらにまた、複数の前記挿通孔には、高さが異なる複数の前記シリンダが各々設けられているため、高さ方向においても見栄えよく幅広い配置アレンジが可能となる。
【０００９】
また、本発明の一態様に係るプランターにおいて、前記容器には、組み立て用の折線が形成されていることが好ましい。
【００１０】
この構成により、一枚の基材から容易に前記プランターを作成することができ、且つ未使用時においては前記プランターを一枚の基材として収納でき、容易に保管することができる。
【００１１】
また、本発明の一態様に係るプランターにおいて、前記シリンダにおける前記容器の上面から前記上端部が突出する高さは、調整可能であることが好ましい。
【００１２】
また、本発明の一態様に係るプランターにおいて、前記シリンダは、少なくとも１つの中空柱状部材から構成され、複数の前記中空柱状部材を高さ方向に連結することで、前記容器の上面から前記シリンダの前記上端部が突出する高さが設定されることが好ましい。
【００１３】
また、本発明の一態様に係るプランターにおいて、前記容器の断面は、多角形状であることが好ましい。
【００１４】
また、本発明の一態様に係るプランターにおいて、前記容器の断面は、正八角形状であることが好ましい。
【００１５】
また、本発明の一態様に係るプランターにおいて、前記容器の外側には、前記容器の底面及び側面を支持する折畳み可能な脚部がさらに設けられることが好ましい。
【００１６】
本発明の一態様に係る鑑賞植物セットは、上面に複数の挿通孔が互いに離隔して設けられる容器と、複数の前記挿通孔に各々挿通されて前記容器の底面上に載置され、且つ上端部が前記容器の上面から突出し、前記容器の上面から前記上端部が突出する高さが異なる複数のシリンダと、前記シリンダに収容される鑑賞植物と、を具備するものである。
【００１７】
この構成によれば、複数の鉢からなる鑑賞植物の配置を、高さ方向を含めて幅広くアレンジが可能な鑑賞植物セットを提供することができる。
【００１８】
また、本発明の一態様に係る鑑賞植物セットにおいて、前記容器の前方側の前記挿通孔に挿通される前記シリンダの前記上端部が前記容器の上面から突出する高さは、前記容器の後方側の前記挿通孔に挿通される前記シリンダの前記上端部が前記容器の上面から突出する高さよりも低く設定されることが好ましい。
【００１９】
この構成により、例えば胡蝶蘭のような花丈が大きい鑑賞植物を利用する場合においては、前記容器の前方側の前記挿通孔に挿通される前記シリンダの高さと、前記容器の後方側の前記挿通孔に挿通される前記シリンダの高さにおいて、前記前方側と前記後方側とで高低差（前記後方側を高くする）を設けることで、全体としてまとまりがあり、且つ見栄えに優れた鑑賞植物セットを提供することができる。
【発明の効果】
【００２０】
本発明によれば、鑑賞植物の幅広い配置アレンジが可能なプランターを提供する。また、当該プランターを利用した見栄え良く配置アレンジされた鑑賞植物セットを提供することができる。
【図面の簡単な説明】
【００２１】
【図１】本発明の一実施形態に係るプランターの斜視図である。
【図２】本発明の一実施形態に係るプランターにおける容器の組み立て前の展開平面図である。
【図３】本発明の一実施形態に係るプランターにおける容器の斜視図である。
【図４】本発明の一実施形態に係るプランターにおける容器の斜視図である。
【図５】本発明の一実施形態に係るプランターにおけるシリンダの斜視図である。
【図６】本発明の一実施形態に係るプランターにおける脚部の斜視図である。
【図７】本発明の一実施形態に係る鑑賞植物セットの斜視図である。
【発明を実施するための形態】
【００２２】
以下、添付図面を参照して本発明の様々な実施形態を説明する。なお、図面において共通した構成要件には同一の参照符号が付されている。また、或る図面に表現された構成要素が、説明の便宜上、別の図面においては省略されていることがある点に留意されたい。さらにまた、添付した図面が必ずしも正確な縮尺で記載されている訳ではないということに注意されたい。
【００２３】
１．プランター１の構成
以下、図１乃至図６を参照して、一実施形態のプランター１について説明する。図１は、本発明の一実施形態に係るプランター１の斜視図である。図２は、本発明の一実施形態に係るプランター１における容器１０の組み立て前の展開平面図である。図３及び図４は、本発明の一実施形態に係るプランター１における容器１０の斜視図である。図５は、本発明の一実施形態に係るプランター１におけるシリンダ２０の斜視図である。図６は、本発明の一実施形態に係るプランター１における脚部３０の斜視図である。
【００２４】
図１に示すように、一実施形態にかかるプランター１は、中空で断面が多角形状の容器１０と、容器１０に設けられる挿通孔１００に挿通されて容器１０の底面１１（図３参照）上に載置されるシリンダ２０と、を備える。また、容器１０を支持する脚部３０が設けられていてもよい。以下、各構成要素の詳細について説明する。
【００２５】
１−１．容器１０
容器１０は、図３及び図４に示すような、例えば金属製、樹脂製等の中空で所定の形状（例えば、断面多角形状）を有する筐体を予め準備又は製造した上で、後述する挿通孔１００を更に設けて形成してもよいが、未使用時における保管容易性や使用寿命後の廃棄容易性の観点から、図２に示すように、一枚の基材を基にする組み立て式の容器１０であることが好ましい。容器１０を組み立て式とした場合には、図２に示すような、所定の大きさ及び形状を有する１枚の基材に、所定の折線１０ｘを設け、かかる基材を折線１０ｘに基づいて組み立てることで、図２に示す展開平面図から、図３に示す容器１０を形成することができる。基材としては、例えばプラスチック製のボード、硬質繊維ボード、又は板紙を積層して得られる段ボール等を用いることができる。なお、容器１０の上面視又は下面視による断面形状は、円形等特に制限はないが、図２乃至図４に示すように、多角形状であることが好ましく、特に八角形状であることが、シリンダ２０（及びシリンダ２０に収容される鑑賞植物）の配置アレンジ、及び荷重配分の観点から好ましい。
【００２６】
また、図２及び図３に示すように、容器１０の上面１２には、シリンダ２０を容器１０内に挿通（案内）させるために、複数の挿通孔１００が設けられる。挿通孔１００は、容器１０を組み立て式とした場合においては、図２に示すように、容器１０を組み立てる前の展開状態に予め設けておいてもよいし、組み立て後に上面１２を加工して設けてもよい。挿通孔１００の数は、特に制限はないが、容器１０の大きさと形状、及び容器１０の強度等を考慮して、適宜選択される。なお、図２及び図３に示すように、各挿通孔１００は、互いに離隔して設けられる。これにより、容器１０の上面が、各挿通孔１００に挿通される各シリンダ２０間の間仕切りの機能を果たすこととなり、容器１０に複数のシリンダを配設することが可能となる。各挿通孔１００の離隔距離は、特に制限はないが、容器１０の大きさと形状、及び容器１０の強度等を考慮して、適宜決定される。例えば、容器１０の大きさに基づいて、図３に示すように、７つの挿通孔１００を設けてもよいし、図４に示すように、４つの挿通孔１００を設けてもよい。また、挿通孔１００の形状は、図１乃至図４に示すように、円形でもよいし、多角形状としてもよい。
【００２７】
１−２．シリンダ２０
シリンダ２０は、図１及び図２に示すように、容器１０の上面１２に設けられる各挿通孔１００に挿通されて、容器１０の底面１１上に載置される。シリンダ２０は、各挿通孔１００に対応して、複数のシリンダ２０が各々挿通されるが、例えば配置アレンジに応じて任意の複数の挿通孔１００を選択して、選択された当該挿通孔１００にのみ（例えば、挿通孔１００が７つ形成されている場合において、当該７つの挿通孔１００のうちの５つにのみ）挿通されてもよい。なお、各挿通孔１００に挿通される複数のシリンダ２０の高さ（厳密には、容器１０の上面１２からその上端部２０ａが突出する高さ）は、異なるように設計される。例えば、２つの挿通孔１００のみに各々計２つのシリンダ２０が挿通される場合においては、当該２つのシリンダ２０の高さは互いに異なるように設計される。また、例えば、図１に示すように、７つの挿通孔１００に各々計７つのシリンダ２０が挿通される場合においては、少なくとも２種類の高さを有する計７つのシリンダ２０が配置される（図１においては、前方側に配される同じ高さの２つのシリンダ２０と、中央及び後方側に配される同じ高さの５つのシリンダ２０とがあり、前方側と後方側のシリンダ２０は、互いに高さが異なっている）。
【００２８】
ところで、各シリンダ２０が対応する挿通孔１００に挿通されるにあたり、その上端部２０ａは、容器１０の上面１２より高さ方向に突出するように配置させる。これにより、シリンダ２０の側面２１が容器１０の上面１２と接触することで、シリンダ２０の平面方向のズレが防止される。
【００２９】
また、シリンダ２０において、その高さ、つまり容器１０の上面１２からシリンダ２０の上端部２０ａが突出する高さが調整可能となっている。図５に示すように、シリンダ２０は、例えば円柱状の中空柱状部材２００から構成されており、複数の中空柱状部材２００を高さ方向に連結することで、シリンダ２０の高さを設定することが可能となっている。例えば、図５（ａ）は、中空柱状部材２００を４つ連結させた場合のシリンダ２０を示し、図５（ｂ）は、中空柱状部材２００を２つ連結させた場合のシリンダ２００を示している。このように、連結させる中空柱状部材２００の数を適宜選択することで、シリンダ２０の高さを調整することができるため、配置アレンジの幅を広げることができる。例えば、所定の挿通孔１００においては、１つの中空柱状部材２００（連結なし）をそのままシリンダ２０として適用し、別の挿通孔１００においては、２つの中空柱状部材２００を連結させたものをシリンダ２０として適用する、といったアレンジが可能となる。
【００３０】
中空柱状部材２００の形状（断面形状）は、挿通孔１００の形状に合わせて決定される。また、予め高さの異なる複数種類の中空柱状部材２００を準備しておくことで、シリンダ２０の高さを更に細かく調整することができる。複数の中空柱状部材２００の連結方法としては、特に制限はないが、例えば任意の中空柱状部材２００の上端部２００ａの内周に沿って、別の中空柱状部材２００の下端部２００ｂを摺動させつつ嵌め込む形状を採用することができる。また、各シリンダ２０には、鑑賞植物等が１鉢単位で収容されるため、中空柱状部材２００には当該鉢を支持する底面２００ｔが設けられる。底面２００ｔは、図５に示すように、全ての中空柱状部材２００に設けてもよいし、複数の中空柱状部材２００が連結される場合においては、一番上部に位置する中空柱状部材２００にのみ設けてもよく、収容される鉢の大きさや深さに応じて、適宜所定の中空柱状部材２００に設ければよい。
【００３１】
シリンダ２０及び中空柱状部材２００の材料としては、特に制限はないが、例えば、各種樹脂材料又は板紙を積層して得られる段ボール等を用いることができる。
【００３２】
１−３．脚部３０
プランター１においては、図１に示すように、容器１０の底面１１を容器１０の外側から支持する脚部３０を設けてもよい。脚部３０は、例えば図６に示すように、枠体状の第１脚部３０ａ、枠体状の第２脚部３０ｂ、及び軸部３１を組み合わせて、折畳み可能なものを用いることができる。より具体的には、軸部３１の一端３１ｘを第１脚部３０ａに、他端３１ｙを第２脚部３０ｂにそれぞれ固定し、第１脚部３０ａの中心部近傍に、第２脚部３０ｂに設けられる第２嵌合部３０ｄの形状に沿った第１嵌合部３０ｃを設けておき、脚部３０の使用時には、図６（ａ）に示すように、第１嵌合部３０ｃに第２嵌合部３０ｄを嵌め込むようにして、略十字状に広げて使用される。他方、脚部３０の未使用時には、図６（ａ）状態から第２嵌合部３０ｃの第１嵌合部３０ｄへの嵌め込みを解除した上で、軸部３１（軸部３１の一端３１ｘ及び他端３１ｙ）を中心に回転させることで、図６（ｂ）のように折畳んだ上で保管することができる。このように、脚部３０も折畳み可能となっているため、プランター１全体として、嵩張らず容易に保管又は搬送することが可能となる。
【００３３】
なお、第１脚部３０ａ及び第２脚部３０ｂの端部には、容器１０の側面１３を容器１０の外側から支持する突起部３３を別途設けてもよい。これにより、図１に示すように、脚部３０上に載置された容器１０の底面１１だけでなく、側面１３も支持することで、容器１０をより安定した状態で支持することができる。また、第１脚部３０ａ及び第２脚部３０ｂにおいては、さらに図６に示すように、追加突起部３５を設けておき、これに対応して、容器１０の底面１１上であって、かかる追加突起部３５に対向する位置に貫通孔（図示せず）を設けておいてもよい。これにより、容器１０が脚部３０上に載置されると、追加突起部３５が底面１１を貫通して、容器１０内にまで延在することで、容器１０を、さらに安定した状態で支持することができる。
【００３４】
２．鑑賞植物セット２の構成
次に、図１及び図７を参照して、一実施形態の鑑賞植物セット２について説明する。図７は、本発明の一実施形態に係る鑑賞植物セット２の斜視図である。
【００３５】
図７に示すように、一実施形態にかかる鑑賞植物セット２は、前述したプランター１に加えて、シリンダ２０内に収容される鑑賞植物５０を備える。鑑賞植物５０としては、特に制限なく、あらゆる鑑賞植物を適用することが可能であるが、贈答用として用いられる花丈の長い胡蝶蘭等が特に好適である。
【００３６】
なお、鑑賞植物セット２において、鑑賞植物５０として前述の胡蝶蘭等を用いる場合には、図７に示すように、容器１０の前方側（図７においては、紙面下手前側）の挿通孔１００に挿通されるシリンダ２０ｓの高さ（容器１０の上面１２からシリンダ２０ｓの上端部２０ａが突出する高さ）を、容器１０の後方側（図７においては、紙面上奥側）の挿通孔１００に挿通されるシリンダ２０ｔの高さ（容器１０の上面１２からシリンダ２０ｔの上端部２０ａが突出する高さ）よりも低く設定することが好ましい。これにより、前方側のシリンダ２０ｓと後方側のシリンダ２０ｔとの間に高低差を設け、例えば後方側のシリンダ２０ｔには、花部分にボリューム感のある胡蝶蘭を収容し、前方側のシリンダ２０ｓには、通常の胡蝶蘭や観葉植物などの緑葉植物を収容する等して、全体としてまとまりがあり、且つ見栄えに優れた鑑賞植物セット２を提供することができる。
【００３７】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置換、変更を行うことができる。また、各構成や、形状、大きさ、長さ、幅、厚さ、高さ、数等は適宜変更して実施することができる。プランター１及び鑑賞植物セット２の各部の配置や構成等は、上記実施形態には限定されない。
【符号の説明】
【００３８】
１  プランター
２  鑑賞植物セット
１０  容器
１０ｘ  折線
１１  容器の底面
１２  容器の上面
１３  容器の側面
２０  シリンダ
２０ａ  上端部
３０  脚部
５０  鑑賞植物
１００  挿通孔
２００    中空柱状部材
【図１】
2019076588.tif 000003
【図２】
2019076588.tif 000004
【図３】
2019076588.tif 000005
【図４】
2019076588.tif 000006
【図５】
2019076588.tif 000007
【図６】
2019076588.tif 000008
【図７】
2019076588.tif 000009